【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
感光体と、
レーザ光を主走査方向の複数の区間に対して一定でない走査速度で走査することで、前記感光体に潜像を形成する走査手段と、
前記主走査方向のいずれの区間に対応するレーザ光であるかに応じて、レーザ光の発光間隔を補正する幅補正手段と、
前記主走査方向における第１区間における単位時間あたりの露光量より、前記第１区間における走査速度よりも早い第２区間における単位時間あたりの露光量が大きくなるように、潜像を形成するための前記レーザ光の輝度を補正する輝度補正手段と、
前記主走査方向のいずれの区間に対応するレーザ光であるかに応じて画像データにおける各画素の濃度値を補正する濃度補正手段と
を有することを特徴とする画像形成装置。
【請求項２】
前記レーザ光の光路において前記走査手段と前記感光体との間に設けられ、前記レーザ光が通過する光学系であって、前記レーザ光のスポットが前記感光体の表面上を移動する速度である走査速度が等速とならない、光学系をさらに有することを特徴とする請求項１に記載の画像形成装置。
【請求項３】
前記輝度補正手段は、前記感光体上の露光位置のうち走査速度が速い位置ほど単位時間あたりの露光量が大きくなるように前記レーザ光の輝度を補正することを特徴とする請求項１または２に記載の画像形成装置。
【請求項４】
前記濃度補正手段がもつ主走査方向に対する濃度補正の分解能は、前記輝度補正手段がもつ主走査方向に対する輝度補正の分解能以上であることを特徴とする請求項１または２に記載の画像形成装置。
【請求項５】
前記濃度補正手段がもつ単位時間当たりの露光量に対する濃度補正の分解能は、前記輝度補正手段がもつ単位時間当たりの露光量に対する輝度補正の分解能以上であることを特徴とする請求項１または２に記載の画像形成装置。
【請求項６】
前記濃度補正手段は、前記感光体の表面における前記レーザ光の走査位置に応じて前記画像データにおける各画素の濃度値を補正することで前記潜像の画像濃度を補正することを特徴とする請求項１ないし５のいずれか１項に記載の画像形成装置。
【請求項７】
前記濃度補正手段は、前記レーザ光のスポットの移動方向に関する長さが１画素未満の画素片に相当する時間にわたり光源を消灯することで、前記潜像の画像濃度を補正することを特徴とする請求項１ないし５のいずれか１項に記載の画像形成装置。
【請求項８】
前記レーザ光の走査速度は、前記感光体の画像形成領域の中央から端部にかけて速くなることを特徴とする請求項１乃至７のいずれか１項に記載の画像形成装置。
【請求項９】
前記感光体の画像形成領域の中央における前記レーザ光の走査速度と前記感光体の画像形成領域の端部における前記レーザ光の走査速度との変化率は２０％以上であることを特徴とする請求項１乃至８のいずれか１項に記載の画像形成装置。
【請求項１０】
前記幅補正手段は、前記レーザ光のスポットの移動方向に関する長さが１画素未満の画素片を前記画像データに挿入または前記画像データから抜き去ることより、各画素に対応する潜像の露光時間を補正することを特徴とする請求項１乃至９のいずれか１項に記載の画像形成装置。
【請求項１１】
前記幅補正手段は、前記感光体の画像形成領域のうち前記レーザ光のスポットの移動方向における中央領域では前記画素片を挿入し、前記画像形成領域のうち前記レーザ光のスポットの移動方向における端部領域では前記画素片を抜き去ることを特徴とする請求項１０に記載の画像形成装置。
【請求項１２】
前記幅補正手段は、前記画像データを搬送するビデオ信号に同期したクロックの周波数を主走査方向の走査位置に応じて変更することで、各画素に対応する潜像の露光時間を補正することを特徴とする請求項１乃至９いずれか１項に記載の画像形成装置。
【請求項１３】
前記幅補正手段は、前記ビデオ信号に同期したクロックの周波数を、前記感光体の画像形成領域の中央から端部にかけて高くすることを特徴とする請求項１２に記載の画像形成装置。
【請求項１４】
第１電流を出力する定電流回路を有し、前記第１電流から前記輝度補正手段が出力する第２電流を差し引いて得られる第３電流を光源に供給することで、前記光源を駆動する駆動手段をさらに有し、
前記輝度補正手段は、前記感光体の表面における前記レーザ光の走査位置に応じて前記第２電流を変更することで当該レーザ光の輝度を補正することを特徴とする請求項１乃至１３のいずれか１項に記載の画像形成装置。
【請求項１５】
光源は前記画像データに応じて決定されるデューティを有するパルス幅変調信号を供給されて前記レーザ光を出力するように構成されており、
前記濃度補正手段は前記画像データに対応するデューティを制御することで各画素の濃度値を補正することを特徴とする請求項１乃至５のいずれか１項に記載の画像形成装置。
【請求項１６】
前記輝度補正手段は、前記幅補正手段により補正された潜像ごとの露光時間にしたがって当該潜像ごとの露光量が補正されるよう、潜像を形成するための前記レーザ光の輝度を補正するように構成されており、
前記濃度補正手段は、前記輝度補正手段による前記レーザ光の輝度によって生じる画像濃度のレベル差が小さくなるよう、前記画像データの各画素の濃度値を補正するように構成されていることを特徴とする請求項１に記載の画像形成装置。
【請求項１７】
感光体と、
レーザ光を主走査方向の複数の区間に対して一定でない走査速度で走査することで、前記感光体に潜像を形成し、
前記主走査方向のいずれの区間に対応するレーザ光であるかに応じて、レーザ光の発光間隔を補正し、
前記主走査方向における第１区間における単位時間あたりの露光量より、前記第１区間における走査速度よりも早い第２区間における単位時間あたりの露光量が大きくなるように、潜像を形成するための前記レーザ光の輝度を補正し、
前記主走査方向のいずれの区間に対応するレーザ光であるかに応じて画像データにおける各画素の濃度値を補正することを特徴とする画像形成方法。
【請求項１８】
前記レーザ光の輝度を補正する工程では、前記補正された潜像ごとの露光時間にしたがって当該潜像ごとの露光量が補正されるよう、潜像を形成するための前記レーザ光の輝度が補正され、
前記濃度値を補正する工程では、前記輝度を補正する工程による前記レーザ光の輝度の補正によって生じる画像濃度のレベル差が小さくなるよう、前記画像データの各画素の濃度値が補正されことを特徴とする請求項１７に記載の画像形成方法。
【手続補正２】
【補正対象書類名】明細書
【補正対象項目名】０００６
【補正方法】変更
【補正の内容】
【０００６】
本発明は、たとえば、
感光体と、
レーザ光を主走査方向の複数の区間に対して一定でない走査速度で走査することで、前記感光体に潜像を形成する走査手段と、
前記主走査方向のいずれの区間に対応するレーザ光であるかに応じて、レーザ光の発光間隔を補正する幅補正手段と、
前記主走査方向における第１区間における単位時間あたりの露光量より、前記第１区間における走査速度よりも早い第２区間における単位時間あたりの露光量が大きくなるように、潜像を形成するための前記レーザ光の輝度を補正する輝度補正手段と、
前記主走査方向のいずれの区間に対応するレーザ光であるかに応じて画像データにおける各画素の濃度値を補正する濃度補正手段と
を有することを特徴とする画像形成装置を提供する。
【手続補正３】
【補正対象書類名】明細書
【補正対象項目名】発明の名称
【補正方法】変更
【補正の内容】
【発明の名称】画像形成装置および画像形成方法